(57)【要約】【課題】回転電機の接続構造において、回転電機からの振動をより好適に抑制することである。【解決手段】回転電機の接続構造１０は、インバータ回路に接続されるインバータ用ケーブル部と、一方端が回転電機に接続される回転電機用ケーブル部の他方端と、一方端がインバータ回路に接続されるインバータ用ケーブル部の他方端とを接続する端子台を内部に含む端子台ハウジングと、インバータ用ケーブル部のうち他方端側に設けられ、インバータ用ケーブル部の動きを規制するＰ／Ｃハウジングと、端子台ハウジングの内部の側面とインバータ用ケーブル部との間に設けられる弾性部材と、を備え、Ｐ／Ｃハウジングと端子台ハウジングとの間には、所定の隙間が設けられていることを特徴とする。【選択図】図１（ａ）
2010283957.tif 000002
【特許請求の範囲】
【請求項１】
インバータ回路に接続されるインバータ用ケーブル部と、
一方端が回転電機に接続される回転電機用ケーブル部の他方端と、一方端がインバータ回路に接続されるインバータ用ケーブル部の他方端とを接続する端子台を内部に含む端子台ハウジングと、
インバータ用ケーブル部のうち他方端側に設けられ、インバータ用ケーブル部の動きを規制するＰ／Ｃハウジングと、
端子台ハウジングの内部の側面とインバータ用ケーブル部との間に設けられる弾性部材と、
を備え、
Ｐ／Ｃハウジングと端子台ハウジングとの間には、所定の隙間が設けられていることを特徴とする回転電機の接続構造。
【請求項２】
請求項１に記載の回転電機の接続構造において、
Ｐ／Ｃハウジングは、
インバータ用ケーブル部のうち、端子台ハウジングとＰ／Ｃハウジングとの間の可動部分の動きを規制する突起部を含むことを特徴とする回転電機の接続構造。
【請求項３】
インバータ回路に接続されるインバータ用ケーブル部と、
一方端が回転電機に接続される回転電機用ケーブル部の他方端と、一方端がインバータ回路に接続されるインバータ用ケーブル部の他方端とを接続する端子台を内部に含む端子台ハウジングと、
インバータ用ケーブル部の一部を固定対象物に固定するために設けられる固定部と、
を備え、
固定部は、
インバータ用ケーブル部のうち、端子台ハウジングと固定部との間の可動部分の振動周波数が端子台の周辺部材の固有振動周波数と一致するような位置に取り付けられることを特徴とする回転電機の接続構造。
【発明の詳細な説明】
【技術分野】
【０００１】
本発明は、回転電機の接続構造に係り、特に、インバータに接続されるインバータ用ケーブルと回転電機に接続される回転電機用ケーブルとを接続する回転電機の接続構造に関する。
【背景技術】
【０００２】
現在、回転電機を用いて走行する車両では、回転電機に接続される回転電機用ケーブルと、インバータ回路に接続されるインバータ用ケーブルとが端子台において接続される。本発明に関連する技術として、例えば、特許文献１には、検出器として、転動装置の状態を検出する検出器であって、検出器を収容するセンサケースと、センサケースに形成された開口部を挿通して一端が検出部に接続されると共に他端が外部へと延びたケーブルとを備える構成が開示されている。そして、開口部の周縁部には、センサケースの外部に向かって突出する突起部が設けられ、ケーブルが突起部に固定されている構成が開示されている。
【先行技術文献】
【特許文献】
【０００３】
【特許文献１】特開２００３−２８７０２５号公報
【発明の概要】
【発明が解決しようとする課題】
【０００４】
ところで、回転電機が作動している際には、回転電機が振動を発生する振動源となり、その振動が回転電機用ケーブル等といった端子台の周辺部品に伝わり、場合によっては端子台の周辺部品同士の振動の共振により騒音が大きくなることもある。
【０００５】
本発明の目的は、回転電機からの振動をより好適に抑制することを可能とする回転電機の接続構造を提供することである。
【課題を解決するための手段】
【０００６】
本発明に係る回転電機の接続構造は、インバータ回路に接続されるインバータ用ケーブル部と、一方端が回転電機に接続される回転電機用ケーブル部の他方端と、一方端がインバータ回路に接続されるインバータ用ケーブル部の他方端とを接続する端子台を内部に含む端子台ハウジングと、インバータ用ケーブル部のうち他方端側に設けられ、インバータ用ケーブル部の動きを規制するＰ／Ｃハウジングと、端子台ハウジングの内部の側面とインバータ用ケーブル部との間に設けられる弾性部材と、を備え、Ｐ／Ｃハウジングと端子台ハウジングとの間には、所定の隙間が設けられていることを特徴とする。
【０００７】
また、本発明に係る回転電機の接続構造において、Ｐ／Ｃハウジングは、インバータ用ケーブル部のうち、端子台ハウジングとＰ／Ｃハウジングとの間の可動部分の動きを規制する突起部を含むことが好ましい。
【０００８】
本発明に係る回転電機の接続構造において、インバータ回路に接続されるインバータ用ケーブル部と、一方端が回転電機に接続される回転電機用ケーブル部の他方端と、一方端がインバータ回路に接続されるインバータ用ケーブル部の他方端とを接続する端子台を内部に含む端子台ハウジングと、インバータ用ケーブル部の一部を固定対象物に固定するために設けられる固定部と、を備え、固定部は、インバータ用ケーブル部のうち、端子台ハウジングと固定部との間の可動部分の振動周波数が端子台の周辺部材の固有振動周波数と一致するような位置に取り付けられることを特徴とする。
【発明の効果】
【０００９】
上記構成の回転電機の接続構造によれば、Ｐ／Ｃハウジングと端子台ハウジングとの間には、所定の隙間が設けられ、インバータ用ケーブル部のうち、端子台ハウジングとＰ／Ｃハウジングとの間の部分が可動し、弾性部材がバネとして機能する。これにより、回転電機からの振動がインバータ用ケーブル部に伝わった場合に、端子台ハウジングとＰ／Ｃハウジングとの間の部分が可動し、弾性部材がバネとして機能することで振動が減衰される。したがって、回転電機からの振動をより好適に抑制することができる。
【００１０】
上記構成の回転電機の接続構造によれば、固定部は、インバータ用ケーブル部のうち、端子台ハウジングと固定部との間の可動部分の振動周波数が端子台の周辺部品の固有振動周波数と一致するような位置に取り付けられる。これにより、回転電機から端子台の周辺部品を介して伝わってきた振動をインバータ用ケーブル部のうち端子台ハウジングと固定部との間の可動部分がダンパとして機能することで、その振動を打ち消すことができる。したがって、回転電機からの振動をより好適に抑制することができる。
【図面の簡単な説明】
【００１１】
【図１（ａ）】本発明の実施の形態において、回転電機の接続構造の示す上面図であり、端子台ハウジングの内部を視認できる状態とした図である。
【図１（ｂ）】本発明の実施の形態において、図１（ａ）のＡ−Ａ線断面図に相当する図である。
【図２（ａ）】本発明の実施の形態の第１変形例において、回転電機の接続構造の示す上面図であり、端子台ハウジングの内部を視認できる状態とした図である。
【図２（ｂ）】本発明の実施の形態の第１変形例において、図２（ａ）のＡ−Ａ線断面図に相当する図である。
【図３（ａ）】本発明の実施の形態の第２変形例において、回転電機の接続構造の示す上面図であり、端子台ハウジングの内部を視認できる状態とした図である。
【図３（ｂ）】本発明の実施の形態の第２変形例において、図３（ａ）のＡ−Ａ線断面図に相当する図である。
【発明を実施するための形態】
【００１２】
以下に、本発明に係る実施の形態について添付図面を参照しながら詳細に説明する。また、以下では、全ての図面において同様の要素には同一の符号を付し、重複する説明を省略する。また、本文中の説明においては、必要に応じそれ以前に述べた符号を用いるものとする。
【００１３】
図１（ａ）は、回転電機の接続構造１０の示す上面図であり、端子台ハウジング２４の内部を視認できる状態とした図である。図１（ｂ）は、図１（ａ）においてＡ−Ａ線断面図に相当する図である。回転電機の接続構造１０は、モーター３４とインバータ回路１３とを接続する構造である。回転電機の接続構造１０は、固定部１４と、インバータ用ケーブル部１６と、Ｐ／Ｃハウジング１８と、端子台２８と、バスバー２２と、締結部材２０と、Ｏリング２６と、モーター用ケーブル３０と、モーターケース３２とを含んで構成される。
【００１４】
インバータ回路１３は、複数のトランジスタとダイオードを含んで構成され、図示しない蓄電装置からの直流電力を３相交流電力に変換してモーター３４に供給する機能を有する。また、インバータ回路１３は、モーター３４からの３相交流電力を直流電力に変換して図示しない蓄電装置に供給する回路である。
【００１５】
モーター３４は、固定子と回転子とを含んで構成され、インバータ回路１３から供給される３相交流電力により回転子を回転させる回転電機である。また、モーター３４は、外力により回転子が回転したときに３相交流電力を発生させて、インバータ回路１３に供給する機能を有する。このように、モーター３４は、回転子が回転するため、振動を発生する振動源となりうる。
【００１６】
モーターケース３２は、モーター３４を内部に収納する筐体である。また、モーターケース３２は、適当な強度を有する材料、例えば、ステンレスで構成される。さらに、モーターケース３２は、内部に収納されたモーター３４からの振動が伝わってきて、所定の固有振動周波数で振動する。
【００１７】
モーター用ケーブル３０は、一方端がモーター３４に接続され、他方端が端子台２８上のバスバー２２に接続される電力ケーブルである。また、モーター用ケーブル３０は、一方端に接続されるモーター３４からの振動が伝わってきて、所定の固有振動周波数で振動する。
【００１８】
インバータ用ケーブル部１６は、インバータ用ケーブル１６ａと、被覆部１６ｂとを含んで構成される。インバータ用ケーブル１６ａは、一方端がインバータ回路１３に接続され、他方端が端子台２８上のバスバー２２に接続される電力ケーブルである。また、インバータ用ケーブル１６ａは、可動できる程度の柔軟な材料で構成されている。被覆部１６ｂは、柔軟性を有する絶縁材料で構成され、インバータ用ケーブル１６ａを被覆する部材である。
【００１９】
端子台ハウジング２４は、適当な強度を有する材料で構成され、端子台２８を覆うための筐体であり、モーターケース３２の開口部分に取り付けられる。また、端子台ハウジング２４は、モーター３４からの振動がモーター用ケーブル３０等を介して伝わってきて、所定の固有振動周波数で振動する。
【００２０】
端子台２８は、インバータ用ケーブル１６ａとモーター用ケーブル３０とを接続するための部材である。また、端子台２８は、端子台ハウジング２４の内部に取り付けられている。さらに、端子台２８は、モーター３４からの振動がモーター用ケーブル３０等を介して伝わってきて、所定の固有振動周波数で振動する。
【００２１】
バスバー２２は、インバータ用ケーブル１６ａとモーター用ケーブル３０とを電気的に接続するための導電部材であり、端子台２８の側面に沿って取り付けられている。また、バスバー２２の一方端には、インバータ用ケーブル１６ａの他方端が配置されて、締結部材２０によって締め付けられて固定される。そして、バスバー２２の他方端には、モーター用ケーブル３０の他方端が配置されて、締結部材２０によって締め付けられて固定される。なお、バスバー２２は、モーター３４からの振動がモーター用ケーブル３０等を介して伝わってきて、所定の固有振動周波数で振動する。
【００２２】
Ｏリング２６は、端子台ハウジング２４とインバータ用ケーブル部１６との間に設けられた弾性部材である。また、Ｏリング２６は、モーター３４からの振動がモーター用ケーブル３０等を介して伝わってきて、所定の固有振動周波数で振動する。
【００２３】
Ｐ／Ｃハウジング１８は、インバータ用ケーブル部１６を内部に通すハウジングである。また、Ｐ／Ｃハウジング１８は、インバータ用ケーブル部１６のうち端子台ハウジング２４側（換言すれば、インバータ用ケーブル１６ａの他方端側）に設けられる。Ｐ／Ｃハウジング１８と端子台ハウジング２４との間には所定の長さｄの隙間７が形成されている。これにより、インバータ用ケーブル部１６は、矢印Ａ方向あるいは矢印Ｂ方向に動くことが可能となり、Ｏリング２６がバネとして機能する。そして、インバータ用ケーブル部１６の動きが大きい場合であっても、端子台ハウジング２４の端面と、Ｐ／Ｃハウジング１８の端部が当接し、矢印Ａ方向あるいは矢印Ｂ方向の動きがある程度規制されている。
【００２４】
固定部１４は、インバータ用ケーブル部１６において、端子台ハウジング２４から所定の距離だけ離れた位置に設けられ、固定対象物であるモーターケース３２に取り付けられる固定バンドである。
【００２５】
続いて、上記構成の回転電機の接続構造１０の動作について、図１（ａ），図１（ｂ）を参照して説明する。上述したように、モーター３４の回転子の回転により振動が発生する。そして、モーター３４を振動源とする振動がモーター用ケーブル３０やモーターケース３２を介して、端子台ハウジング２４等に伝わる。また、これらの振動は端子台ハウジング２４等を介してインバータ用ケーブル部１６にも伝わる。ここで、回転電機の接続構造１０において、端子台ハウジング２４とＰ／Ｃハウジング１８との間には、所定の長さｄの隙間７が形成されている。したがって、インバータ用ケーブル部１６が矢印Ａ方向あるいは矢印Ｂ方向に動き、Ｏリング２６がバネのように機能する。これにより、Ｏリング２６とインバータ用ケーブル部１６がダンパとして作用するため、モーター３４からの振動を減衰させることができる。したがって、モーター３４からの振動をより好適に抑制することができる。
【００２６】
次に、回転電機の接続構造１０の第１変形例である回転電機の接続構造１１について説明する。回転電機の接続構造１１と回転電機の接続構造１０の相違は、Ｐ／Ｃハウジング１８が突起部１９を有する点であるため、その点を中心に説明する。図２（ａ）は、回転電機の接続構造１１の示す上面図であり、端子台ハウジング２４の内部を視認できる状態とした図である。図２（ｂ）は、図２（ａ）においてＡ−Ａ線断面図に相当する図である。
【００２７】
Ｐ／Ｃハウジング１８の突起部１９は、図２（ａ）の上面視においてＰ／Ｃハウジング１８の長手方向に沿った両端に設けられ、それぞれ端子台ハウジング２４に向かって先細りとなり、その先端部が端子台ハウジング２４と当接する部材である。また、突起部１９は、Ｐ／Ｃハウジング１８の上側(図２（ｂ）参照)にのみ設けられているため、インバータ用ケーブル部１６は、矢印Ａ方向あるいは矢印Ｂ方向（換言すれば、減衰方向）に動くことができる。
【００２８】
続いて、上記構成の回転電機の接続構造１１の動作について、図２（ａ），図２（ｂ）を参照して説明する。モーター３４を振動源とした振動がインバータ用ケーブル部１６に伝わってきた場合に、Ｏリング２６がバネのように機能してインバータ用ケーブル部１６が矢印Ａ方向あるいは矢印Ｂ方向に動き、Ｏリング２６がバネとして機能する。これにより、Ｏリング２６とインバータ用ケーブル部１６がダンパとして作用するため、モーター３４からの振動を減衰させることができる。そして、突起部１９により矢印Ｃ方向および矢印Ｄ方向への動きを規制しているため、モーター３４からの振動が伝わってきたときに、インバータ用ケーブル部１６の動く方向を減衰方向（換言すれば、矢印Ａ方向あるいは矢印Ｂ方向）に導くことができる。したがって、モーター３４からの振動をより好適に抑制することができる。
【００２９】
次に、回転電機の接続構造１０の第２変形例である回転電機の接続構造１２について説明する。回転電機の接続構造１２と回転電機の接続構造１０の相違は、固定部１４の機能のみであるため、その点を中心に説明する。図３（ａ）は、回転電機の接続構造１２の示す上面図であり、端子台ハウジング２４の内部を視認できる状態とした図である。図３（ｂ）は、図３（ａ）においてＡ−Ａ線断面図に相当する図である。
【００３０】
固定部１４は、インバータ用ケーブル部１６において、端子台ハウジング２４から所定の距離だけ離れた位置に設けられ、モーターケース３２に取り付けられる固定バンドである。そして、固定部１４は、図３（ａ），図３（ｂ）に示されるように、固定対象物であるモーターケース３２への固定位置を調整して取り付けられる。具体的には、固定部１４を、インバータ用ケーブル部１６の一方端側あるいは他方端側に移動させ、端子台２８の周辺部品の固有振動周波数と一致させるような位置で、モーターケース３２に取り付ける。ここで、端子台２８の周辺部品は、端子台ハウジング２４、バスバー２２、モーターケース３２等であるが、一致させる固有振動周波数は、インバータ用ケーブル部１６と共振すると大きな騒音となりうる周辺部品にあわせることが好ましい。なお、固有振動周波数は、固定部１４の位置を調整するとともに、インバータ用ケーブル部１６の重量を増減させることで調整してもよい。
【００３１】
続いて、上記構成の回転電機の接続構造１２の動作について、図３（ａ），図３（ｂ）を参照して説明する。モーター３４を振動源とした振動がインバータ用ケーブル部１６に伝わってきた場合に、インバータ用ケーブル部１６のうち端子台ハウジング２４と固定部１４との間の部分が振動する。ここで、例えば、端子台２８の周辺部品において、端子台ハウジング２４を介して伝わってきた振動を抑制したい場合には、インバータ用ケーブル部１６において端子台ハウジング２４と固定部１４との間の部分の固有振動周波数を端子台ハウジング２４の固有振動周波数に一致させるように、固定部１４の位置を調整する。これにより、端子台ハウジング２４を介した振動がインバータ用ケーブル部１６に伝わってきた場合には、インバータ用ケーブル部１６のうち端子台ハウジング２４と固定部１４との間の部分がダンパとして機能して端子台ハウジング２４の固有振動周波数分の振動を打ち消すことができる。したがって、モーター３４からの振動をより好適に抑制することができる。
【００３２】
なお、上記では、端子台ハウジング２４とＰ／Ｃハウジング１８との間には隙間７が形成されているものとして説明したが、隙間７が無く端子台ハウジング２４とＰ／Ｃハウジング１８とが接触している状態であっても、インバータ用ケーブル部１６のうち端子台ハウジング２４と固定部１４との間の部分がダンパとして機能して端子台ハウジング２４の固有振動周波数分の振動を打ち消すことができる。
【符号の説明】
【００３３】
７  隙間、１０，１１，１２  回転電機の接続構造、１３  インバータ回路、１４  固定部、１６  インバータ用ケーブル部、１６ａ  インバータ用ケーブル、１６ｂ  被覆部、１８  Ｐ／Ｃハウジング、１９  突起部、２０  締結部材、２２  バスバー、２４  端子台ハウジング、２６  Ｏリング、２８  端子台、２４  端子台ハウジング、３０  モーター用ケーブル、３２  モーターケース、３４  モーター。
【図１（ａ）】
2010283957.tif 000003
【図１（ｂ）】
2010283957.tif 000004
【図２（ａ）】
2010283957.tif 000005
【図２（ｂ）】
2010283957.tif 000006
【図３（ａ）】
2010283957.tif 000007
【図３（ｂ）】
2010283957.tif 000008